(57)【要約】【課題】  通話の不可能な場所においても着信者の現況を発信者側に通知可能とし、それに継続して電子メール等にてすぐさま互いに情報交換を行うことが可能な携帯端末装置を提供する。【解決手段】  携帯電話機１は操作キー１６と音声保存メモリ１４に格納された音声の応答メッセージのアドレスとをそれぞれ対応させて応答用メモリ２１に保持している。ＣＰＵ１１はその操作キー１６のいずれかが押下されたことを検出した時に、押下された操作キー１６に対応する音声保存メモリ１４の応答メッセージを発信者側に送受信部２０から送信し、この発信者情報を編集画面の該当箇所に組み込んで編集可能な状態で表示制御部１８を介して表示部１９に表示させる。【選択図】      図１
2006067037.tif 000002
【特許請求の範囲】
【請求項１】
通話及び電子メールの送受信が可能な携帯端末装置であって、
予め音声の応答メッセージを格納する音声保存メモリと、
操作キーと前記音声保存メモリに記憶された音声の応答メッセージのアドレスとをそれぞれ対応させて保持する応答用メモリと、
前記操作キーのいずれかが押下されたことを検出する押下監視手段と、
前記操作キーのいずれかが押下されたことを検出した時に前記音声保存メモリから当該操作キーに対応する応答メッセージを発信者側に送信する手段と、
その発信者情報を前記電子メールの編集画面の該当箇所に組み込んで編集可能な状態で表示する電子メール編集手段とを有することを特徴とする携帯端末装置。
【請求項２】
前記発信者情報と前記電子メールのアドレスとを対応付けて記憶するアドレス保存メモリを含み、
前記電子メール編集手段は、前記アドレス保存メモリの記憶内容に基づいて前記発信者情報を前記電子メールのアドレスに変換して前記電子メールの宛先欄に転記した編集画面を作成することを特徴とする請求項１記載の携帯端末装置。
【請求項３】
前記電子メール編集手段は、前記電子メールの宛先欄において任意のアドレスが選択自在な編集画面を作成することを特徴とする請求項１記載の携帯端末装置。
【請求項４】
前記応答用メモリは、前記音声の応答メッセージのアドレスと当該応答メッセージ送信後の応答動作とを保持することを特徴とする請求項１から請求項３のいずれか記載の携帯端末装置。
【請求項５】
通話及び電子メールの送受信が可能な携帯端末装置に用いられる着呼応答方法であって、前記端末装置側に、操作キーのいずれかが押下されたことを検出するステップと、前記操作キーのいずれかが押下されたことを検出した時に予め音声の応答メッセージを格納する音声保存メモリに記憶された音声の応答メッセージのアドレスと前記操作キーとをそれぞれ対応させて保持する応答用メモリの保持内容に基づいて当該操作キーに対応する応答メッセージを発信者側に送信するステップと、その発信者情報を前記電子メールの編集画面の該当箇所に組み込んで編集可能な状態で表示するステップとを有することを特徴とする着呼応答方法。
【請求項６】
前記編集画面を表示するステップは、前記発信者情報と前記電子メールのアドレスとを対応付けて記憶するアドレス保存メモリの記憶内容に基づいて前記発信者情報を前記電子メールのアドレスに変換して前記電子メールの宛先欄に転記した編集画面を作成することを特徴とする請求項５記載の着呼応答方法。
【請求項７】
前記編集画面を表示するステップは、前記電子メールの宛先欄において任意のアドレスが選択自在な編集画面を作成することを特徴とする請求項５記載の着呼応答方法。
【請求項８】
前記応答用メモリは、前記音声の応答メッセージのアドレスと当該応答メッセージ送信後の応答動作とを保持することを特徴とする請求項５から請求項７のいずれか記載の着呼応答方法。
【請求項９】
通話及び電子メールの送受信が可能な携帯端末装置に用いられる着呼応答方法のプログラムであって、前記端末装置側のコンピュータに、操作キーのいずれかが押下されたことを検出する処理と、前記操作キーのいずれかが押下されたことを検出した時に予め音声の応答メッセージを格納する音声保存メモリに記憶された音声の応答メッセージのアドレスと前記操作キーとをそれぞれ対応させて保持する応答用メモリの保持内容に基づいて当該操作キーに対応する応答メッセージを発信者側に送信する処理と、その発信者情報を前記電子メールの編集画面の該当箇所に組み込んで編集可能な状態で表示する処理とを実行させるためのプログラム。
【発明の詳細な説明】
【技術分野】
【０００１】
本発明は携帯端末装置及びそれに用いる着呼応答方法並びにそのプログラムに関し、特に携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置における着信応答に関する。
【背景技術】
【０００２】
現在、携帯端末装置の多くは、ほぼどこでも着信して通話することができる。しかしながら、モラル上、携帯端末装置は会議中や電車の乗車中等の周囲に迷惑をかけるような場合、予めマナーモードにするか、あるいは電源を切断することが求められている。
【０００３】
この場合、着信側では、切替え忘れ等によってマナーモードや電源断となっていない時に着信すると、つまり着信してほしくない時に着信すると、長時間、声を出して応答することができず、または携帯電話を短時間で操作することができず、慌てて呼を切断する等の動作が行われている。
【０００４】
近年、携帯端末装置の中には、表示画面上に各機能をアイコン化して表示する機器が登場しているが、これらの機器において、着信時に表示されたアイコン上に着信のアイコンを表示させ、そのアイコンを選択することで着信応答を簡便化する方法が提案されているが（例えば、特許文献１参照）、この方法でも上記のような切替え忘れ等による着信応答の問題を解決することができない。
【０００５】
【特許文献１】特開２００２−３６８８４２号公報
【発明の開示】
【発明が解決しようとする課題】
【０００６】
上述した従来の携帯端末装置では、着信者側が通話の不可能な場所において、予め電源を切るか、マナーモード等に設定することで対応している。しかしながら、電源の切り忘れ等があったり、マナーモード等への切り替えを忘れたりすることがあり、電話が着信してしまうことがある。
【０００７】
この場合、着信者側では、長時間、声を出して応答することができず、あるいは携帯電話を短時間で操作することができないため、慌てて呼を切断することがある。発信者側では着信者の情況がわからないため、着信してもいきなり電話が切られる等の状態になるので、発信者側に対して不快感を与えてしまうことがある。
【０００８】
そこで、本発明の目的は上記の問題点を解消し、通話の不可能な場所においても着信者の現況を発信者側に通知することができ、それに継続して電子メール等にてすぐさま互いに情報交換を行うことができる携帯端末装置及びそれに用いる着呼応答方法並びにそのプログラムを提供することにある。
【課題を解決するための手段】
【０００９】
本発明による携帯端末装置は、通話及び電子メールの送受信が可能な携帯端末装置であって、
予め音声の応答メッセージを格納する音声保存メモリと、
操作キーと前記音声保存メモリに記憶された音声の応答メッセージのアドレスとをそれぞれ対応させて保持する応答用メモリと、
前記操作キーのいずれかが押下されたことを検出する押下監視手段と、
前記操作キーのいずれかが押下されたことを検出した時に前記音声保存メモリから当該操作キーに対応する応答メッセージを発信者側に送信する手段と、
その発信者情報を前記電子メールの編集画面の該当箇所に組み込んで編集可能な状態で表示する電子メール編集手段とを備えている。
【００１０】
本発明による着呼応答方法は、通話及び電子メールの送受信が可能な携帯端末装置に用いられる着呼応答方法であって、前記端末装置側に、操作キーのいずれかが押下されたことを検出するステップと、前記操作キーのいずれかが押下されたことを検出した時に予め音声の応答メッセージを格納する音声保存メモリに記憶された音声の応答メッセージのアドレスと前記操作キーとをそれぞれ対応させて保持する応答用メモリの保持内容に基づいて当該操作キーに対応する応答メッセージを発信者側に送信するステップと、その発信者情報を前記電子メールの編集画面の該当箇所に組み込んで編集可能な状態で表示するステップとを備えている。
【００１１】
本発明による着呼応答方法のプログラムは、通話及び電子メールの送受信が可能な携帯端末装置に用いられる着呼応答方法のプログラムであって、前記端末装置側のコンピュータに、操作キーのいずれかが押下されたことを検出する処理と、前記操作キーのいずれかが押下されたことを検出した時に予め音声の応答メッセージを格納する音声保存メモリに記憶された音声の応答メッセージのアドレスと前記操作キーとをそれぞれ対応させて保持する応答用メモリの保持内容に基づいて当該操作キーに対応する応答メッセージを発信者側に送信する処理と、その発信者情報を前記電子メールの編集画面の該当箇所に組み込んで編集可能な状態で表示する処理とを実行させている。
【００１２】
すなわち、本発明の携帯端末装置は、操作キーと音声保存メモリに記憶された音声の応答メッセージのアドレスとをそれぞれ対応させて保持する応答用メモリと、その操作キーのいずれかが押下されたことを検出する押下監視手段と、操作キーのいずれかが押下されたことを検出した時に音声保存メモリからその操作キーに対応する応答メッセージを発信者側に送信する手段と、この発信者情報を編集画面の該当箇所に組み込んで編集可能な状態で表示する電子メール編集手段とを具備している。
【００１３】
これによって、本発明の携帯端末装置では、着信者側での携帯電話の着呼応答方法において選択肢が広がり、着信者側の着呼応答操作がワンタッチで操作可能となり、着信者の負担を軽減することが可能となる。また、本発明の携帯端末装置では、発信者側が着信者側の選択した応答内容によって着信者が現在おかれている情況を詳細に知ることが可能となり、それに継続して電子メール等ですぐさま互いに情報交換が可能になる。
【発明の効果】
【００１４】
本発明は、以下に述べるような構成及び動作とすることで、通話の不可能な場所においても着信者の現況を発信者側に通知することができ、それに継続して電子メール等にてすぐさま互いに情報交換を行うことができるという効果が得られる。
【発明を実施するための最良の形態】
【００１５】
次に、本発明の実施例について図面を参照して説明する。図１は本発明の一実施例による携帯電話機の構成を示すブロック図である。図１において、携帯電話機１はＣＰＵ（中央処理装置）１１と、ＲＯＭ（リードオンリメモリ）１２と、作業用メモリ１３と、音声保存メモリ１４と、メールアドレス保存メモリ１５と、操作キー１６と、キー入力部１７と、表示制御部１８と、表示部１９と、送受信部２０と、応答用メモリ２１とから構成されている。
【００１６】
また、ＣＰＵ１１と、ＲＯＭ１２と、作業用メモリ１３と、音声保存メモリ１４と、アドレス保存メモリ１５と、キー入力部１７と、表示制御部１８と、送受信部２０と、応答用メモリ２１とはそれぞれバス１００にて相互に接続されている。
【００１７】
ＲＯＭ１２はＣＰＵ１１が実行するための各種の制御用プログラムやかな文字変換等に使用される辞書等の固定的なデータを格納したメモリである。作業用メモリ１３はＲＡＭ（ランダムアクセスメモリ）によって構成されており、ＣＰＵ１１がプログラムを実行する上で一時的に必要とされるデータを格納するようになっている。電子メールを送信する際の編集用の画像データもこの作業用メモリ１３の所定の領域に格納される。
【００１８】
音声保存メモリ１４はＲＡＭによって構成されており、携帯電話使用者の音声データを格納するようになっている。メールアドレス保存メモリ１５はＲＡＭによって構成されており、携帯電話使用者のメールアドレスデータを格納するようになっている。
【００１９】
キー入力部１７は操作キー１６を含む各種のキーからのキー入力を受け付ける入力回路である。表示制御部１８は表示部１９の表示を制御する制御回路である。表示部１９は図示せぬ装置筐体の前面に配置されており、白黒あるいはカラーの液晶パネルあるいは有機ＥＬ（Ｅｌｅｃｔｒｏ  Ｌｕｍｉｎｅｓｃｅｎｃｅ：電子蛍光）等の表示装置である。
【００２０】
送受信部２０は無線によってデータの送受信を行う回路である。応答用メモリ２１は装置のテンキーや所定のファンクションキーから構成される操作の操作キー１６の１つずつと、音声を保存しているアドレスを一つずつ対応させているアドレスであり、不揮発性メモリで構成されている。
【００２１】
本実施例では、操作キー１６と音声保存メモリ１４に格納された音声の応答メッセージのアドレスとをそれぞれ対応させて応答用メモリ２１に保持し、その操作キー１６のいずれかが押下されたことをＣＰＵ１１が検出した時に押下された操作キー１６に対応する音声保存メモリ１４の応答メッセージを発信者側に送受信部２０から送信し、この発信者情報を編集画面の該当箇所に組み込んで編集可能な状態で表示制御部１８を介して表示部１９に表示させている。
【００２２】
図２は図１の応答用メモリ２１の構成例を示す図である。図２において、応答用メモリ２１には音声保存メモリ１４に保存した音声と操作キー１６との関係を示した対応表が格納されている。
【００２３】
例えば、“１”、“５”等の予め定められた操作キー１６には、携帯電話機１の使用者が任意に音声を登録し、音声送信後の応答動作を指定することができる。この例では、応答用メモリ２１において、テンキー“１”に音声概要として“電車”と、“応答後切断操作”とが登録されている。また、テンキー“５”には“電車”と、“メールにて応答”とが登録されている。
【００２４】
図３は本発明の一実施例による着呼応答方法を示すフローチャートであり、図４は本発明の一実施例による電子メールの処理方法を示すフローチャートである。これら図１〜図４を参照して本発明の一実施例による着呼応答方法並びに電子メールの処理方法について説明する。尚、図３及び図４に示す処理はＣＰＵ１１がＲＯＭ１２のプログラムを実行することで実現される。
【００２５】
携帯電話機１の使用者は携帯電話に着信があった時に通話できるか否かを判断する。使用者が通話可能な場合（図３ステップＳ１）、ＣＰＵ１１は通話処理を行った後（図３ステップＳ６）、処理を終了する。
【００２６】
また、使用者が通話不可能な場合（図３ステップＳ１）、ＣＰＵ１１はそれぞれの情況に応じて予め割り振られた操作キー１６の押下状況を判断する（図３ステップＳ２）。この場合、ＣＰＵ１１はキー入力部１７の検出結果を基に、操作キー１６の押下状況をチェックしている。
【００２７】
ＣＰＵ１１は操作キー１６が押下されたことが検出すると（図３ステップＳ２）、応答用メモリ２１内の対応表（図２参照）を読出し、送受信部２０に渡す。送受信部２０は応答用メモリ２１から読出した対応表を基に、対応する音声保存メモリ１４の応答メッセージを送信する（図３ステップＳ３）。ＣＰＵ１１は使用者が押下した操作キー１６が単に対応表の“音声の送信”だけであれば、音声送信後の段階で（図３ステップＳ４）、処理を終了する。
【００２８】
一方、ＣＰＵ１１は使用者が押下した操作キー１６が対応表の“音声とメール送信”であれば、音声送信後の段階で（図３ステップＳ４）、メール送信画面を自動で起動し、メッセージ編集画面へと移行して電子メールの編集及び送信を行う（図３ステップＳ５）。ＣＰＵ１１は電子メールの送信後、処理を終了する。
【００２９】
図４には上記のステップＳ５で示した電子メール編集・送信処理の概要を示している。すなわち、使用者が電子メール返信登録のある操作キー１６を押下すると、ＣＰＵ１１はその着信番号に基づいて着信番号に対応するメールアドレスを電子メールアドレス用メモリ１５から読出し（図４ステップＳ１１）、そのメールアドレスを電子メールの宛先の欄に転記した編集画面を作成し（図４ステップＳ１２）、その編集画面を表示部１９に表示する（図４ステップＳ１３）。
【００３０】
ＣＰＵ１１は編集画面を表示部１９に表示した後に、操作キー１６を介して編集入力が行われると（図４ステップＳ１４）、その入力内容を編集画面に編集内容として反映し（ステップＳ２１）、新たな編集画面を表示部１９に表示する。これは電子メールの本文を作成していれば、これに応じて編集画面が追加されていくような状況である。
【００３１】
これに対して、使用者が編集画面の破棄を指示すると（図４ステップＳ１６）、ＣＰＵ１１はその電子メールを送信することなく、破棄する。一方、編集入力が終了し、使用者が送信を指示すると（図４ステップＳ１７）、ＣＰＵ１１は宛先に示したメールアドレスに対して電子メールの送信処理を行う（図４ステップＳ１８）。
【００３２】
このように、本実施例では、予め着信者側において使用者自身の声で応答メッセージを録音して登録し、または端末指定のものを選択し、そのメッセージと携帯電話の操作キー１６のボタンとの対応を予め登録しておくことで、着信があった時に携帯電話の“１番“が押下されると、「ただいま会議中ですので、のちほどこちらからかけなおします。」と発信者側へ応答メッセージを流すことができる。
【００３３】
また、本実施例では、携帯電話等の着信番号を確認することができれば、携帯電話に予め登録されているメールアドレスに対して「現在電車に乗っていますので、メールにて対応します。」等のメッセージを発信者側への音声応答後、着信者側の携帯電話がメール送信画面に切り替わり、発信者側へワンタッチで即座に応答することができる。
【００３４】
そのため、本実施例では、発信者が会話しなくても、着信者の現在の状態がわかり、継続して電子メール等ですぐさま互いに情報交換が可能となるので、円滑なコミュニケーションを図ることができる。
【００３５】
尚、本実施例では、図４においてメール編集画面起動時にメールアドレスを自動選択するようにしているが、任意のアドレスであるアドレスを任意に選択することができるメール画面を送信前に選択するようにしてもよい。
【産業上の利用可能性】
【００３６】
本発明は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置において、通話及び電子メールの送受信が可能な装置に適用可能である。
【図面の簡単な説明】
【００３７】
【図１】本発明の一実施例による携帯電話機の構成を示すブロック図である。
【図２】図１の応答用メモリの構成例を示す図である。
【図３】本発明の一実施例による着呼応答方法を示すフローチャートである。
【図４】本発明の一実施例による電子メールの処理方法を示すフローチャートである。
【符号の説明】
【００３８】
１  携帯電話機
１１  ＣＰＵ
１２  ＲＯＭ
１３  作業用メモリ
１４  音声保存メモリ
１５  メールアドレス保存メモリ
１６  操作キー
１７  キー入力部
１８  表示制御部
１９  表示部
２０  送受信部
２１  応答用メモリ
【図１】
2006067037.tif 000003
【図２】
2006067037.tif 000004
【図３】
2006067037.tif 000005
【図４】
2006067037.tif 000006